(57)【要約】  本発明は、バッテリーの過電圧を防止するシステム及び方法に関し、さらに詳しくは、何らかの理由により１次的に過電圧の防止が正常に行われずに持続的にバッテリーの過電圧が生じてしまう状況に備えて、セルバランシング回路を活用して２次的に過電圧の発生に対する危険要因を防止できるように構成されるバッテリーの過電圧の防止システム及び方法に関する。
2020516226.tif 000002
【特許請求の範囲】
【請求項１】
一つ以上のセルを含んでなるバッテリーの過電圧を防止するシステムにおいて、
それぞれのセルの電圧を測定する電圧測定部と、
前記電圧測定部において測定された少なくとも一つのセルの第１の測定電圧値が所定の第１の基準電圧値以上である場合、充電電流の流れ込みを遮断する遮断信号を出力する第１の制御部と、
前記第１の制御部から遮断信号が入力されて、充電電流の流れ込みを遮断する遮断部と、
前記セル間の電圧バラツキを比較して、セルバランシングを行うセルバランシング部と、
前記電圧測定部において測定された前記少なくとも一つのセルの第２の測定電圧値を所定の第２の基準電圧値と比較して、その比較結果に基づいて、前記セルバランシング部を制御する第２の制御部と、
を備えてなる過電圧の防止システム。
【請求項２】
前記セルバランシング部は、
前記第２の制御部の制御に従ってオン／オフ制御されるバランシング電界効果トランジスター（ＦＥＴ）と、
前記バランシング電界効果トランジスター（ＦＥＴ）がターンオンされて流れるセルの電流が放電されるバランシング抵抗と、
を備えてなることを特徴とする請求項１に記載の過電圧の防止システム。
【請求項３】
前記第２の制御部は、
前記電圧測定部において測定された第２の測定電圧値と所定の第２の基準電圧値とを比較する電圧比較部と、
前記電圧比較部における比較の結果、第２の測定電圧値が所定の第２の基準電圧値以上である場合、前記バランシング電界効果トランジスター（ＦＥＴ）にターンオン信号を出力する過電圧判断部と、
を備えてなることを特徴とする請求項２に記載の過電圧の防止システム。       
【請求項４】
前記バランシング電界効果トランジスター（ＦＥＴ）は、前記少なくとも一つのセルの第２の測定電圧値の当該電圧を放電し、前記バランシング抵抗は、前記放電された電圧を消費することを特徴とする請求項２又は３に記載の過電圧の防止システム。
【請求項５】
前記第２の基準電圧値は、前記第１の基準電圧値よりも大きな値であることを特徴とする請求項１〜４のいずれか一項に記載の過電圧の防止システム。
【請求項６】
一つ以上のセルを含んでなるバッテリーの過電圧を防止する方法において、
それぞれのセルの電圧を測定する第１の電圧の測定ステップと、
前記第１の電圧の測定ステップにおいて測定された少なくとも一つのセルの第１の測定電圧値と所定の第１の基準電圧値とを比較して、セルの過電圧有無を判断する第１の過電圧の判断ステップと、
前記第１の過電圧の判断ステップにおいて、前記少なくとも一つのセルが過電圧であると判断された場合、充電電流の流れ込みを遮断する遮断信号を出力する遮断信号の出力ステップと、
前記第１の過電圧の判断ステップにおいて過電圧であると判断された前記少なくとも一つのセルの電圧を測定する第２の電圧の測定ステップと、
前記第２の電圧の測定ステップにおいて測定された前記少なくとも一つのセルの第２の測定電圧値と所定の第２の基準電圧値とを比較して、セルの過電圧有無を判断する第２の過電圧の判断ステップと、
前記第２の過電圧の判断ステップにおいて、前記少なくとも一つのセルが過電圧であると判断された場合、バランシング電界効果トランジスター（ＦＥＴ）にターンオン信号を出力するバランシング電界効果トランジスター（ＦＥＴ）ターンオン信号の出力ステップと、
前記バランシング電界効果トランジスター（ＦＥＴ）を介して前記第２の過電圧の判断ステップにおいて過電圧であると判断された前記少なくとも一つのセルの電圧が放電される過電圧の放電ステップと、
を含んでなる過電圧の防止方法。
【請求項７】
前記過電圧の放電ステップにおいて、
前記少なくとも一つのセルの電圧が、前記バランシング電界効果トランジスター（ＦＥＴ）を介してバランシング抵抗において放電されることを特徴とする請求項６に記載の過電圧の防止方法。
【請求項８】
前記第２の基準電圧値は、前記第１の基準電圧値よりも大きな値であることを特徴とする請求項６又は７に記載の過電圧の防止方法。
【発明の詳細な説明】
【技術分野】
【０００１】
本発明は、バッテリーの過電圧を防止するシステムに関し、さらに詳しくは、既存に組み込まれているバランシング回路を活用して、バッテリーの過電圧を防止するシステムに関する。
【背景技術】
【０００２】
一般に、携帯用電子機器、電気自動車などの充電可能な電気貯蔵装置を必要とする装置に適用／搭載される二次電池は、直列又は並列に連結された多数のセルを含んでなる。
【０００３】
この種の多数のセルを含む二次電池を充電する間に、前記多数のセルのうちのいずれか一つのセルでも一定以上の電圧に過充電される場合、爆発又は発火などのリスクが生じるおそれがある。このようなセルの過充電は、一般に、セルの過電圧の原因となり、これは、過電圧されたセルを除く他のセルにも影響を及ぼしてしまい、その結果、二次電池の性能の低下、不良の発生などの問題が招かれてしまう。
【０００４】
このため、セルの過電圧は、諸問題を引き起こす危険度が高い要因であり、これを防止することは、二次電池の安全性、性能などの問題を解決する上で肝要である。
【０００５】
このような問題を解決するために、従来には、過電圧の主原因であるセルの過充電の防止のために、充電される電流の流れ込みを遮断するような方式を用いていた。具体的には、バッテリーモニタリングＩＣ（Ｂａｔｔｅｒｙ  Ｍｏｎｉｔｏｒｉｎｇ  ＩＣ）を介してセルの電圧を測定すれば、ＭＣＵ（マイクロコントロールユニット）は、前記バッテリーモニタリングＩＣ（Ｂａｔｔｅｒｙ  Ｍｏｎｉｔｏｒｉｎｇ  ＩＣ）により測定されたセル電圧値と一定の基準電圧値とを比較することで、各セルの過電圧有無を判断していた。もし、多数のセルのうちの少なくとも一つのセルが過電圧であると判断されれば、ＭＣＵは、二次電池バッテリーに充電電流が流れ込む経路が遮断されるように制御して、過電圧によるリスクが生じることを防止するような方式である。
【０００６】
しかしながら、上述したような従来の方式のみを用いて、セルの過電圧を防止することは、例えば、ＭＣＵの誤作動により過電圧有無を誤った判断した場合、二次電池バッテリーに充電電流が流れ込む経路の遮断が正常に行われなかった場合、若しくは、二次電池に充電される電流により過電圧が生じたわけではなかった場合などの色々な理由から、セルの過電圧に起因する問題の発生を防止できない状況に陥らせる虞がある。
【発明の概要】
【発明が解決しようとする課題】
【０００７】
したがって、本発明は、上述したように、従来の方式のみを用いて二次電池の過電圧の発生を防止することから生じる問題を解決しようとするところにその目的がある。
【課題を解決するための手段】
【０００８】
本発明の実施の形態に係る、一つ以上のセルを含んでなるバッテリーの過電圧を防止するシステムは、それぞれのセルの電圧を測定する電圧測定部と、前記電圧測定部において測定された少なくとも一つのセルの第１の測定電圧値が所定の第１の基準電圧値以上である場合、充電電流の流れ込みを遮断する遮断信号を出力する第１の制御部と、前記第１の制御部から遮断信号が入力されて、充電電流の流れ込みを遮断する遮断部と、前記セル間の電圧バラツキを比較して、セルバランシングを行うセルバランシング部と、前記電圧測定部において測定された前記少なくとも一つのセルの第２の測定電圧値を所定の第２の基準電圧値と比較して、その比較結果に基づいて、前記セルバランシング部を制御する第２の制御部と、を備えてなる
【０００９】
また、前記セルバランシング部は、前記第２の制御部の制御に従ってオン／オフ制御されるバランシング電界効果トランジスター（ＦＥＴ）と、前記バランシングＦＥＴがターンオンされて流れるセルの電流が放電されるバランシング抵抗と、を備えてなることを特徴とする。
【００１０】
さらに、前記第２の制御部は、前記電圧測定部において測定された第２の測定電圧値と所定の第２の基準電圧値とを比較する電圧比較部と、前記電圧比較部における比較の結果、第２の測定電圧値が所定の第２の基準電圧値以上である場合、前記バランシングＦＥＴにターンオン信号を出力する過電圧判断部と、を備えてなることを特徴とする。
【００１１】
このとき、前記バランシングＦＥＴは、前記少なくとも一つのセルの第２の測定電圧値の当該電圧を放電し、前記バランシング抵抗は、前記放電された電圧を消費することを特徴とする。
【００１２】
ここで、前記第２の基準電圧値は、前記第１の基準電圧値よりも大きな値であることを特徴とする。
【００１３】
また、本発明の実施の形態に係る、一つ以上のセルを含んでなるバッテリーの過電圧を防止する方法は、それぞれのセルの電圧を測定する第１の電圧の測定ステップと、前記第１の電圧の測定ステップにおいて測定された少なくとも一つのセルの第１の測定電圧値と所定の第１の基準電圧値とを比較して、セルの過電圧有無を判断する第１の過電圧の判断ステップと、前記第１の過電圧の判断ステップにおいて、前記少なくとも一つのセルが過電圧であると判断された場合、充電電流の流れ込みを遮断する遮断信号を出力する遮断信号の出力ステップと、前記第１の過電圧の判断ステップにおいて過電圧であると判断された前記少なくとも一つのセルの電圧を測定する第２の電圧の測定ステップと、前記第２の電圧の測定ステップにおいて測定された前記少なくとも一つのセルの第２の測定電圧値と所定の第２の基準電圧値とを比較して、セルの過電圧有無を判断する第２の過電圧の判断ステップと、前記第２の過電圧の判断ステップにおいて、前記少なくとも一つのセルが過電圧であると判断された場合、バランシングＦＥＴにターンオン信号を出力するバランシングＦＥＴターンオン信号の出力ステップと、前記バランシングＦＥＴを介して前記第２の過電圧の判断ステップにおいて過電圧であると判断された前記少なくとも一つのセルの電圧が放電される過電圧の放電ステップと、を含んでなる。
【００１４】
このとき、前記過電圧の放電ステップにおいて、前記少なくとも一つのセルの電圧が、前記バランシングＦＥＴを介してバランシング抵抗において放電されることを特徴とする。
【００１５】
ここで、前記第２の基準電圧値は、前記第１の基準電圧値よりも大きな値であることを特徴とする。
【発明の効果】
【００１６】
本発明は、一般に用いられてきた従来の方式を用いて、二次電池の過電圧を１次的に防止し、既存に実装されているセルバランシング回路を活用して、過電圧を２次的に防止するように構成することで、向上した正確性及び安定性をもって二次電池の過電圧に起因する問題の発生を防止することができる。
【図面の簡単な説明】
【００１７】
【図１】従来の過電圧の防止システムを示す図である。
【図２】本発明の実施の形態に係る過電圧の防止システムを示す図である。
【図３】本発明の実施の形態に係る過電圧の防止方法のブロック図である。
【発明を実施するための形態】
【００１８】
以下、添付図面に基づいて、本発明が属する技術分野において通常の知識を有する者が容易に実施できるように本発明の実施形態について詳しく説明する。しかしながら、本発明は以下に開示される実施形態に何ら限定されるものではなく、異なる様々な形態に具体化される。なお、図中、本発明を明確に説明するために、説明とは無関係な部分は省略し、明細書の全般に亘って、類似の部分には類似の図面符号を付している。
【００１９】
「第１の」、「第２の」など序数を含む言い回しは、様々な構成要素を説明するうえで使用可能であるが、前記構成要素は、前記言い回しによって何等限定されない。前記言い回しは、ある構成要素を他の構成要素から区別する目的でしか使えない。例えば、本発明の権利範囲を逸脱しないつつも、第１の構成要素は第２の構成要素と命名されてもよく、同様に、第２の構成要素もまた第１の構成要素と命名されてもよい。本出願において用いた用語は、単に特定の実施形態を説明するために用いられたものであり、本発明を限定しようとする意図はない。単数の表現は、文脈からみて明らかに他の意味を有さない限り、複数の言い回しを含む。
【００２０】
明細書の全般に亘って、ある部分が他の部分と「連結」されているとしたとき、これは、「直接的に連結」されている場合のみならず、これらの間に他の部材を挟んで「電気的に連結」されている場合も含む。なお、ある部分がある構成要素を「備える」としたとき、これは、特に断りのない限り、他の構成要素を除外するわけではなく、他の構成要素をさらに備えていてもよいことを意味する。本願明細書の全体にわたって用いられる度合いの用語「〜するステップ」又は「〜のステップ」は、「〜のためのステップ」を意味するものではない。
【００２１】
本発明において用いられる用語としては、本発明における機能を考慮したうえで、できる限り現在汎用されている通常の用語を選択したが、これは、当分野に携わっている技術者の意図又は判例、新たな技術の出現などに応じて異なる。なお、特定の場合、出願人が任意に選定した用語もあり、この場合、対応する発明の説明の部分において詳しくその意味を記載する。したがって、本発明において用いられる用語は、単なる用語の名称ではなく、その用語が有する意味と本発明の全般に亘たっての内容に基づいて定義されるべきである。
【００２２】
以下、図面に基づいて、本発明の実施の形態について詳しく説明する。
【００２３】
図１は、従来の過電圧防止回路システムを簡略に示す図である。
【００２４】
前記図１に基づいて、従来の二次電池の過電圧の防止動作について説明すれば、少なくとも一つ以上のバッテリーセルＣｅｌｌ１〜ｎを含むバッテリーの過電圧防止回路は、大きく、バッテリーモニタリングＩＣ１２、ＭＣＵ１４、電流流入路１６、バランシングＦＥＴ１８２及びバランシング抵抗１８４からなるバランシング回路部１８を備えてなる。
【００２５】
これを用いて、従来のバッテリーセルの過電圧を防止する方式について説明すれば、まず、バッテリーモニタリングＩＣ１２においてバッテリーセルのそれぞれの電圧を測定する。各バッテリーセルの電圧を測定した後、測定された各バッテリーセルの電圧値（以下、測定電圧値という。）をＭＣＵ１４に渡す。前記バッテリーセルの各測定電圧値を受け取ったＭＣＵ１４は、これを予め設定された基準電圧値と比較することで、過電圧有無を判断する。
【００２６】
その比較の結果、もし、バッテリーセルの測定電圧値のうちの少なくとも一つのセルの測定電圧値が予め設定された基準電圧値以上であれば、ＭＣＵ１４は、当該バッテリーに過電圧が生じたと判断し、それ以上の充電電流の流れ込みを遮断するために、すなわち、過充電の防止のために、バッテリーセルに充電電流が流れ込む通路を遮断する信号を出力して、図１に示すように、電流流入路１６を制御する。図面には、通路のタイプを例示しているが、本発明はこれに何ら限定されるものではなく、ＭＣＵ１４の制御により充電電流の流れ込みが遮断可能な、例えば、スイッチ、ＦＥＴなどにより構成されてもよい。
【００２７】
すなわち、従来の方式は、上記のように過電圧であると判断されたセルが存在することが確認されれば、バッテリーセルに充電電流が流れ込むことを遮断することで、過電圧に起因する危険要因の発生を防止する方式であった。
【００２８】
しかしながら、図１に示すように、従来の方式のみを用いる場合には、例えば、セルの測定電圧値を用いて過電圧有無を判断するＭＣＵ１４の誤作動などにより過電圧有無を誤って判断した場合、ＭＣＵ１４が充電電流の流れ込みを遮断するための遮断信号を出力したにも拘わらず、充電電流が流れ込む電流流入路１６の遮断が正常に行われなかった場合、若しくは、一般に過電圧の発生の主原因は過充電であるが、これとは異なり、過電圧の発生が過充電に起因するものではなかった場合などをはじめとする何らかの理由により、過電圧に起因する問題の発生を防止することができないという問題がある。
【００２９】
そこで、上記のような問題を解決するために、本発明は、さらに過電圧を防止する回路を組み込むことにより、バッテリーの過電圧の発生の防止の安定性を向上させようとする。
【００３０】
このような本発明の実施形態に係る過電圧の防止システムを簡略に示す図２に基づいて詳しく説明する。
【００３１】
前記図２を参照すると、本発明の実施の形態に係る過電圧の防止システムは、複数のバッテリーセルＣｅｌｌ１〜ｎ、１１０、電圧測定部１２０、第１の制御部１３０、遮断部１４０、第２の制御部１５０及びセルバランシング部１６０を備えてなってもよい。
【００３２】
前記電圧測定部１２０は、それぞれのバッテリーセルの電圧を測定して、測定された各セルの電圧値を算出してもよい。前記電圧測定部１２０は、予め設定された一定の周期おきに各セルの電圧を測定してモニタリングを行うが、ここで、現在の周期Ｎにおいて測定された電圧値を第１の測定電圧値と称し、前記現在の周期Ｎの次の周期Ｎ＋１において測定された電圧値を第２の測定電圧値と称して説明を行う。
【００３３】
前記電圧測定部１２０は、第１の測定電圧値を第１の制御部１３０に渡し、第２の測定電圧値を第２の制御部１５０に渡してもよい。
【００３４】
ここで、前記電圧測定部１２０は、図１に示す従来のバッテリーモニタリングＩＣ１２と同じ機能を行う同じ構成要素であってもよい。
【００３５】
前記第１の制御部１３０は、前記電圧測定部１２０から渡された各セルの第１の測定電圧値を過電圧の発生の判断基準となる所定の第１の基準電圧値と比較してもよい。もし、バッテリーセルのうちの少なくとも一つのセルの第１の測定電圧値が所定の第１の基準電圧値以上である場合、当該セルに過電圧が生じたと判断してもよい。上述したように、少なくとも一つのセルの第１の測定電圧値が過電圧であると判断されれば、バッテリーセルへのそれ以上の充電電流の流れ込みを遮断するための遮断信号を生成して遮断部１４０に出力してもよい。
【００３６】
ここで、前記第１の制御部１３０は、図１に示す従来のＭＣＵ１４と同じ機能を行う同じ構成要素であってもよい。
【００３７】
参考までに、前述したように、電圧測定部１２０及び第１の制御部１３０は、上述したように、従来の過電圧防止回路に組み込まれるバッテリーモニタリングＩＣ１２及びＭＣＵ１４とそれぞれ同じ構成要素であるため、従来の方式と同様に、セルバランシング部１６０、すなわち、セルのバランシング動作を制御してもよい。
【００３８】
遮断部１４０は、前記第１の制御部１３０から遮断信号を入力された場合、バッテリーセルに充電電流が流れ込むことを遮断してもよい。したがって、バッテリーセルに充電電流が流れ込む通路が遮断されることにより、バッテリーセルに電流が充電されることが遮断可能になる。
【００３９】
前記遮断部１４０は、例えば、スイッチ、ＦＥＴなどにより構成されてもよく、これにより、前記遮断信号は、遮断部１４０のオン／オフを制御する信号を意味するものであってもよい。
【００４０】
また、前記遮断部１４０は、図１に示す従来の電流流入路１６と同じ構成要素であってもよい。
【００４１】
一方、第２の制御部１５０は、電圧比較部１５２及び過電圧判断部１５４を備えてなってもよい。
【００４２】
前記電圧比較部１５２は、前記電圧測定部１２０において測定された第２の測定電圧値と所定の第２の基準電圧値とを比較してもよい。
【００４３】
前記過電圧判断部１５４は、前記電圧比較部１５２における比較の結果、前記第２の測定電圧値が所定の第２の基準電圧値以上である場合、過電圧が持続的に生じると判断してもよい。この場合、前記過電圧判断部１５４は、後述するセルバランシング部１６０のバランシングＦＥＴ１６２にターンオン信号を出力してもよい。
【００４４】
すなわち、前記第２の測定電圧値が所定の第２の基準電圧値以上である場合であれば、前記第１の制御部１３０により正常に過電圧の防止が行われなかったか、若しくは、過電圧が過充電に起因するものではなかったと判断してもよいのである。
【００４５】
ここで、前記第２の測定電圧値が測定される時点を基準として説明すれば、第１の測定電圧値が測定された時点が前周期Ｎとなるのである。すなわち、前記第２の測定電圧値は、前周期Ｎにおいて測定された第１の測定電圧値のうち、過電圧であると判断されたセルの電圧を現在の周期Ｎ＋１において再び測定して算出された値を意味するものであってもよい。
【００４６】
すなわち、前周期Ｎにおいて測定された第１の測定電圧値のうち、過電圧であると判断されて第１の制御部１３０の制御に従って充電電流の流れ込みを遮断して、１次的に過電圧の危険要因を防止した後、現在の周期Ｎ＋１において前記第１の測定電圧値のうち、過電圧であると判断されていた当該セルの電圧を再び測定して正常に過電圧の危険要因の防止が行われたか否かを判断し、もし、第２の測定電圧値もまた過電圧であると判断されれば、これに対応して、２次的に過電圧の危険要因を防止しようとするのである。
【００４７】
セルバランシング部１６０は、第２の制御部１５０の制御に従ってオン／オフ制御されるバランシングＦＥＴ１６２及び前記バランシングＦＥＴ１６２がターンオンされて流れるセルの電流が放電されるバランシング抵抗１６４を備えてなってもよい。
【００４８】
前記バランシングＦＥＴ１６２は、前記第２の制御部１５０の過電圧判断部１５４からターンオン信号が出力されることによりターンオンされてもよい。したがって、前記バランシングＦＥＴ１６２がターンオンされることにより、前記過電圧判断部１５４において過電圧であると判断された第２の測定電圧値に相当するセルの電流がバランシング抵抗１６４に流れるようにできる。
【００４９】
前記バランシング抵抗１６４は、前記バランシングＦＥＴ１６２がターンオンされることにより流れるセルの電流が放電される構成要素であってもよい。すなわち、バランシングＦＥＴ１６２は、前記過電圧であると判断された第２の測定電圧値に当該電圧を放電し、前記バランシング抵抗１６４は、前記放電された電圧を消費することにより、過電圧による危険要因の防止が可能になるのである。
【００５０】
ここで、前記第２の制御部１５０は、第１の制御部１３０において過電圧の防止が正常に行われなかった場合、２次的に過電圧を防止する構成要素であるといえる。
【００５１】
したがって、前記第２の制御部１５０の過電圧判断部１５４のセルの過電圧有無を判断する基準となる第２の基準電圧値は、前記第１の制御部１３０においてセルの過電圧有無を判断する基準となる第１の基準電圧値よりも大きな値に設定されることが好ましいものといえる。
【００５２】
図３は、上述した本発明の実施の形態に係る過電圧の防止システムを用いたバッテリーの過電圧の防止方法を示すブロック図である。
【００５３】
前記図３を参照すると、本発明の実施の形態に係る過電圧の防止方法は、第１の電圧の測定ステップ（Ｓ１００）、第１の過電圧の判断ステップ（Ｓ２００）、遮断信号の出力ステップ（Ｓ３００）、第２の電圧の測定ステップ（Ｓ４００）、第２の過電圧の判断ステップ（Ｓ５００）、バランシングＦＥＴターンオン信号の出力ステップ（Ｓ６００）及び過電圧の放電ステップ（Ｓ７００）を含んでなってもよい。
【００５４】
第１の電圧の測定ステップ（Ｓ１００）は、複数のバッテリーセルのそれぞれの電圧を測定するステップである。それぞれのセルの電圧を測定して、測定された各セルの電圧値を算出してもよい。このとき、算出される各セルの電圧値を第１の測定電圧値と称して説明する。
【００５５】
前記第１の電圧の測定ステップ（Ｓ１００）は、前記電圧測定部１２０により行われるステップであってもよい。図２に基づいて上述したように、各セルの電圧測定は、予め設定された一定の周期おきに行われてもよい。
【００５６】
すなわち、第１の電圧の測定ステップ（Ｓ１００）において算出された第１の測定電圧値は、現在の周期Ｎにおいて測定された電圧値を意味するものである。
【００５７】
第１の過電圧の判断ステップ（Ｓ２００）は、前記第１の電圧の測定ステップ（Ｓ１００）において測定された各セルの第１の測定電圧値を過電圧の発生の判断基準となる所定の第１の基準電圧値と比較して、その比較結果に基づいて、セルの過電圧有無を判断するステップであってもよい。その比較の結果、前記第１の測定電圧値が所定の第１の基準電圧値以上である場合、当該セルが過電圧であると判断してもよい。
【００５８】
前記第１の過電圧の判断ステップ（Ｓ２００）は、図２に基づいて上述した前記第１の制御部１３０により行われてもよい。
【００５９】
遮断信号の出力ステップ（Ｓ３００）は、前記第１の過電圧の判断ステップ（Ｓ２００）において少なくとも一つのセルが過電圧であると判断された場合、バッテリーセルに充電電流が流れ込むことを遮断するために、電流が充電される通路を遮断する遮断信号を出力するステップであってもよい。前記遮断信号が出力されることにより、バッテリーセルに充電電流が流れ込む通路、すなわち、図２に基づいて上述した遮断部１４０により充電電流の流れ込みが遮断されてもよい。これにより、前記バッテリーセルに電流が充電されることが遮断可能になる。
【００６０】
第２の電圧の測定ステップ（Ｓ４００）は、前記第１の過電圧の判断ステップ（Ｓ２００）において過電圧であると判断された少なくとも一つ以上のセルの電圧を測定するステップであってもよい。
【００６１】
前記第１の電圧の測定ステップ（Ｓ１００）と同様に、前記第２の電圧の測定ステップ（Ｓ４００）もまた、電圧測定部１２０により行われてもよい。
【００６２】
すなわち、前記第２の電圧の測定ステップ（Ｓ４００）が行われる時点を基準として説明すれば、前記第２の電圧の測定ステップ（Ｓ４００）は、前周期Ｎにおいて測定された第１の測定電圧値のうち、過電圧であると判断された少なくとも一つ以上のセルの電圧を現在の周期Ｎ＋１において再び測定するステップであり、このとき、算出される電圧値を第２の測定電圧値と称する。
【００６３】
第２の過電圧の判断ステップ（Ｓ５００）は、前記第２の電圧の測定ステップ（Ｓ４００）において測定された前記少なくとも一つ以上のセルの第２の測定電圧値と所定の第２の基準電圧値とを比較して、その比較の結果に基づいて、過電圧有無を判断するステップであってもよい。
【００６４】
もし、前記第２の測定電圧値が所定の第２の基準電圧値以上である場合、これは、Ｓ１００からＳ３００までのステップにおいて行われた過電圧の防止措置が正常に行われかなったか、若しくは、過電圧の発生の原因が過充電ではなかった理由により過電圧である判断された前記第１の測定電圧値に相当する少なくとも一つ以上のセルに持続的に過電圧が生じたことを意味する場合であってもよい。
【００６５】
したがって、この場合、過電圧であると判断された少なくとも一つ以上のセルの電圧を下げるために、バランシングＦＥＴターンオン信号の出力ステップ（Ｓ６００）を通してバランシングＦＥＴがターンオンされるように制御してもよい。
【００６６】
これは、図２に基づいて説明したように、過電圧判断部１５４により行われてもよい。前記バランシングＦＥＴ１６２にターンオン信号を出力することにより過電圧であると判断された第２の測定電圧値に相当する少なくとも一つ以上のセルの電流がバランシング抵抗１６４に流れてもよい。したがって、前記バランシング抵抗１６４において過電圧が放電、すなわち、過電圧エネルギーが放出されることにより、電圧を下げる過電圧の放電ステップ（Ｓ７００）が行われることで、過電圧に起因する危険要因の防止が可能になるのである。
【００６７】
一方、本発明の技術的思想は、前記実施形態に基づいて具体的に記述されたが、前記実施形態はその説明のためのものであり、その制限のためのものではないということに留意すべきである。なお、本発明の技術分野における当業者であれば、本発明の技術思想の範囲内において種々の実施形態が採用可能であるということが理解できる筈である。
【符号の説明】
【００６８】
Ｃｅｌｌ１〜Ｃｅｌｌｎ  バッテリーセル
１２  バッテリーモニタリングＩＣ
１４  ＭＣＵ
１６  電流流入路
１８  バランシング回路部
１１０  バッテリーセルＣｅｌｌ１〜Ｃｅｌｌｎ
１２０  電圧測定部
１３０  第１の制御部
１４０  遮断部
１５０  第２の制御部
１５２  電圧比較部
１５４  過電圧判断部
１６０  セルバランシング部
１６２  バランシングＦＥＴ
１６４  バランシング抵抗
１８２  バランシングＦＥＴ
１８４  バランシング抵抗
【図１】
2020516226.tif 000003
【図２】
2020516226.tif 000004
【図３】
2020516226.tif 000005
【手続補正書】
【提出日】令和1年10月2日(2019.10.2)
【手続補正１】
【補正対象書類名】図面
【補正対象項目名】全図
【補正方法】変更
【補正の内容】
【図１】
2020516226.tif 000006
【図２】
2020516226.tif 000007
【図３】
2020516226.tif 000008
【国際調査報告】
2020516226.tif 000009
2020516226.tif 000010
2020516226.tif 000011
2020516226.tif 000012